(57)【特許請求の範囲】
【請求項１】
建物の表面洗浄装置であって、固定的に配置される駆動モータ（４５）によって駆動されることにより、前記表面に設けられる少なくとも１個の案内レールユニット（６）に沿って上下に移動可能な少なくとも１個の細長のワイパー条片ユニット（１０）を備え、
前記ワイパー条片ユニット（１０）は前記案内レールユニット（６）に対して直交する方向に伸張し、
洗浄すべき前記表面に向けられる複数のスプレーノズル（３１）が結合された少なくとも１本の洗浄液ライン（２９）が設けられ、
前記ワイパー条片ユニット（１０）が前記案内レールユニット（６）に沿って滑動的に案内される少なくとも１個の往復台車機構（１９）を具備し、
前記往復台車機構（１９）が前記案内レールユニット（６）に沿って移動可能な直線駆動要素（３２）に強固に連結され、
前記固定的に配置される駆動モータ（４５）が前記駆動要素（３２）を引き動かすよう構成されると共に、
前記往復台車機構（１９）が前記ワイパー条片ユニット（１０）のハウジング（１２）に連結され、その中にワイパー条片（１４）が取付けられて前記ハウジング（１２）の細長開口部（１３）を通して、当該ワイパー条片（１４）が、洗浄すべき前記表面へ向けて突出し、かつ、
前記ワイパー条片（１４）が洗浄すべき前記表面（２）に向け且つ前記表面（２）から離間して移動可能なように前記ハウジング（１２）内に受容され、更に、
前記ワイパー条片（１４）の長手方向両端が、前記ハウジング（１２）の両端から突出するカムフォロア（５６）に連結され、他方、洗浄すべき前記表面（２）から突出するガラス同士の接合部のような水平方向に延びる障害物（５）が存在する箇所に対応する位置には、上記カムフォロア（５６）に作用する少なくとも１個の制御カム（５４）が配置され、前記ワイパー条片（１４）が前記突出する障害物（５）を乗り越えて上下方向に走行すべきときには、前記カムフォロア（５６）が前記制御カム（５４）上に乗り上げて移動することにより、当該カムフォロア（５６）に連結された前記ワイパー条片（１４）も前記ハウジング（１２）内で、洗浄すべき前記表面（２）から引き離される方向へ移動せしめられ、これにより、前記ワイパー条片（１４）が前記突出する障害物（５）を乗り越えて走行可能なよう構成されたこと、
を特徴とする建物の表面洗浄装置。
【請求項２】
歯付きベルト（３３）が前記駆動要素（３２）として設けられることを特徴とする請求項１に記載の建物の表面洗浄装置。
【請求項３】
前記駆動要素（３２）が、前記ワイパー条片ユニット（１０）の移動区間より上側及び下側に固定的に配置される２個の歯車等（４２，４３）のまわりに巻回されるエンドレス駆動要素であり、前記各歯車の一方が前記駆動モータ（４５）によって駆動可能であることを特徴とする請求項１または２に記載の建物の表面洗浄装置。
【請求項４】
前記ハウジング（１２）が、洗浄すべき前記表面に対して直交する方向に変位可能なように前記往復台車機構（１９）に連結されることを特徴とする請求項１に記載の建物の表面洗浄装置。
【請求項５】
前記ハウジング（１２）が、前記往復台車機構（１９）に取り付けた板状締着部（４８）に明けた長孔（５１）に挿通したピン（５２）を介して、当該長孔の長手方向に移動可能な状態で前記往復台車機構（１９）に連結されることを特徴とする請求項４に記載の建物の表面洗浄装置。
【請求項６】
前記ワイパー条片（１４）が前記ハウジング（１２）の前記細長開口部（１３）に向けた方向に弾性的に付勢されることを特徴とする請求項１に記載の建物の表面洗浄装置。
【請求項７】
前記カムフォロア（５６）が自由に回転可能に取付けられるローラ（５６）によって構成されることを特徴とする請求項１に記載の建物の表面洗浄装置。
【請求項８】
前記制御カム（５４）が前記案内レールユニット（６）に取付けられることを特徴とする請求項１に記載の建物の表面洗浄装置。
【請求項９】
前記往復台車機構（１９）が、その間に前記駆動要素（３２）が固定される幾つかの強固に相互連結されるクランプ部（３６，３７）によって構成されることを特徴とする請求項１〜８の何れか１項に記載の建物の表面洗浄装置。
【請求項１０】
前記往復台車機構（１９）が２個のクランプ部（３６，３７）によって構成されることを特徴とする請求項９に記載の建物の表面洗浄装置。
【請求項１１】
前記クランプ部（３６，３７）の一つ（３７）に歯付きレール部（１９‘）が形成され、当該歯付きレール部（１９‘）に、前記駆動要素（３２）としての歯付きベルト（３３）の歯が噛合することを特徴とする請求項９又は１０に記載の建物の表面洗浄装置。
【請求項１２】
前記案内レールユニット（６）が幾つかの溝（２０，２８）を画成する各相互連結される部（２１，２６）によって形成され、前記往復台車機構（１９）が一方の溝（２０）に案内され且つ縦スロットを通して前記案内レールユニット（６）から外方に突出することを特徴とする請求項１〜１１の何れか１項に記載の建物の表面洗浄装置。
【請求項１３】
前記案内レールユニット（６）が、ガラス（２，２’）同士を連結する上下方向にたて延びる接合部（７）に固定される基底部（２１）と、該基底部（２１）に連結されるカバー部（２６）を具備し、該カバー部（２６）が前記洗浄液ライン（２９）のために設けられ且つ蓋状横桟（３０）によって閉蓋される受容溝（２８）を具備することを特徴とする請求項１〜１２の何れか１項に記載の建物の表面洗浄装置。
【請求項１４】
前記各スプレーノズル（３１）が前記案内レールユニット（６）に固定的に配置されることを特徴とする請求項１〜１３の何れか１項に記載の建物の表面洗浄装置。
【請求項１５】
前記各スプレーノズル（３１）が前記蓋状横桟（３０）に取付けられ且つ該蓋状横桟（３０）を通して前記洗浄液ライン（２９）に連結されることを特徴とする請求項１４に記載の建物の表面洗浄装置。
【請求項１６】
前記各スプレーノズル（３１）を、垂直方向に延びる前記案内レールユニット（６）に沿って、各ノズル横断面の異なるものを配置し及び又は各ノズル間の相互間隔を変化させて配置することを特徴とする請求項１１又は１２に記載の建物の表面洗浄装置。
【請求項１７】
前記基底部（２１）が前記エンドレス駆動要素（３２）の反転側（３９）のためにＬ字状横断面の少なくとも１個の横桟突出部（２２）によって案内溝（４０）を画成することを特徴とする請求項１２〜１６の何れか１項に記載の建物の表面洗浄装置。
【請求項１８】
前記基底部（２１）が、前記カバー部（２６）が連結される側とは反対側に、シール部（２４）のための受容溝（２３）を有することを特徴とする請求項１２〜１７の何れか１項に記載の建物の表面洗浄装置。
【発明の詳細な説明】
【０００１】
【発明の属する技術分野】
本発明は建物の表面のための正面洗浄装置に関し、且つ固定的に配設された駆動モータによって、少なくとも１個の案内レールユニットに沿って上下に移動可能な少なくとも１個の細長いワイパー条片ユニットを備え、該ワイパー条片ユニットは前記案内レールユニットに対して直交する方向に伸張し、且つ前記正面洗浄装置は更に洗浄すべき前記表面に向けられた複数のスプレーノズルが連結される少なくとも１個の洗浄流体ラインを備えている。
【０００２】
【従来の技術】
上述したような洗浄装置は欧州特許第７０９０５４Ａ号公報から既知であり、そこにおいて、該既知の洗浄装置の一実施態様における前記ワイパー条片ユニットは、前記の高さ全体を水平方向に移動され、他の実施態様における前記ワイパー条片ユニットは、前記に取付けられる各案内レールに沿って垂直方向に移動される。
既知の洗浄装置の前記ワイパー条片ユニットは、一方において各被駆動歯車が各固定歯付きレールに噛合する前記各案内レールに沿って前記ワイパー条片ユニットを駆動するように別々の各モータを具備し、他方において洗浄すべき前記表面に対して前記ワイパー条片の領域内に配設された前記各スプレーノズルを経て洗浄流体を散布するようにポンプを具備する．
【０００３】
従って、前記既知の洗浄装置はその構造が全く複雑であり、その費用は幾つかの洗浄装置が前記毎に隣接して配設され且つそれらの洗浄装置の夫々にそれ自体のモータ駆動装置等を具備するワイパー条片が存在するので非常に高い。
更に、往復台車機構によって変位可能な前記ワイパー条片ユニットは、前記洗浄流体用の前記ポンプと同様に各モータの取付けによって可成り嵩張る。しかし、そこにおいて前記各洗浄装置が前記建物のの外観を損なう又は実質的に損なうことのないことが望まれる。
【０００４】
欧州特許第００４７３４４Ａ１号公報から、窓洗浄装置では散布及び又は拭き取りユニットがスピンドル及び該スピンドルに取付けられたナットの助力によって窓ガラスに沿って変位可能であることが既知であり、該ナットは前記散布及び拭き取りユニットに夫々強固に連結される。
そのようなスピンドル駆動装置は可成り複雑で嵩張り、且つこれはもしもスピンドル駆動装置が建物の全高さにわたって伸張しなければならない正面洗浄装置の場合、戻り止めの高い危険性に帰着することになる。
【０００５】
米国特許第４２５７１３８号明細書において、そこに洗浄装置が窓ガラスの両面の配設されたるスピンドルによる変位のために取付けられた類似の自動洗浄装置が記述されている。加えて、傘歯車を介して回転駆動されるブラッシュユニットが設けられている。また、そこには前記洗浄ユニットの駆動装置の複雑な構造がもたらされる。
【０００６】
独国特許第３９２３０７０Ａ号公報において、窓枠に移動可能に配設された洗浄要素から成る窓洗浄装置が開示され、該洗浄要素は２個のゴム条片間にブラシを具備する。洗浄液は前記各ゴム条片間の空間に横方向に供給されるが、該洗浄液は、特に洗浄すべき領域が広幅な場合、各幅上に単に不均一分布されるだけである。
最後に、欧州特許第３０２３４３Ａ号公報から、そこにおいて駆動手段として作用する２本の二重反転ベルトの助力でフロントガラスに沿ってフロントガラスワイパーが前後動可能である窓洗浄装置、特に自動車輌用の窓洗浄装置が開示されている。前記各二重反転ベルトの助力で前記フロントガラスワイパーの傾斜した位置決めが可能になるが、しかしながら、小さな窓ガラスのみに適応するだけの全く複雑な駆動手段に帰着する。
【０００７】
【発明が解決しようとする課題】
本発明の目的は、前述した型式の洗浄装置を提供することであり、該装置は単純且つ効果的な構造を有し、建物の上で殆ど目立たない程の少ないスペースしか必要とせず、且つ更に既設の各建物のへの改装も可能である。更に、前記駆動装置の故障又は戻り止めの危険性が低くなる。
【０００８】
【課題を解決するための手段】
本発明の上記の目的は、
建物の表面洗浄装置であって、固定的に配置される駆動モータによって駆動されることにより、前記表面に設けられる少なくとも１個の案内レールユニットに沿って上下に移動可能な少なくとも１個の細長のワイパー条片ユニットを備え、
前記ワイパー条片ユニットは前記案内レールユニットに対して直交する方向に伸張し、
洗浄すべき前記表面に向けられる複数のスプレーノズルが結合された少なくとも１本の洗浄液ラインが設けられ、
前記ワイパー条片ユニットが前記案内レールユニットに沿って滑動的に案内される少なくとも１個の往復台車機構を具備し、
前記往復台車機構が前記案内レールユニットに沿って移動可能な直線駆動要素に強固に連結され、
前記固定的に配置される駆動モータが前記駆動要素を引き動かすよう構成されると共に、
前記往復台車機構が前記ワイパー条片ユニットのハウジングに連結され、その中にワイパー条片が取付けられて前記ハウジングの細長開口部を通して、当該ワイパー条片が、洗浄すべき前記表面へ向けて突出し、かつ、
前記ワイパー条片が洗浄すべき前記表面に向け且つ前記表面から離間して移動可能なように前記ハウジング内に受容され、更に、
前記ワイパー条片の長手方向両端が、前記ハウジングの両端から突出するカムフォロアに連結され、他方、洗浄すべき前記表面から突出するガラス同士の接合部のような水平方向に延びる障害物が存在する箇所に対応する位置には、上記カムフォロアに作用する少なくとも１個の制御カムが配置され、前記ワイパー条片が前記突出する障害物を乗り越えて上下方向に走行すべきときには、前記カムフォロアが前記制御カム上に乗り上げて移動することにより、当該カムフォロアに連結された前記ワイパー条片も前記ハウジング内で、洗浄すべき前記表面から引き離される方向へ移動せしめられ、これにより、前記ワイパー条片が前記突出する障害物を乗り越えて走行可能なよう構成されたこと、
を特徴とする建物の表面洗浄装置によって達成できる。
【０００９】
【作用】
そのような構成を有することによって前述した目的が有利な方法で達成され、そこにおいて、特にワイパー条片ユニットは、如何なる駆動ユニットをも収容する必要がないので、比較的コンパクトで小型を保つことが可能になる。前後動するように駆動される前記直線駆動要素は前記案内レールユニットに受容され、且つそれは、例えば、駆動ロープ、駆動ベルト等、好ましくは歯付きベルトで良い。
前記駆動要素は、それによって前後動するように前記駆動要素によって駆動され且つ洗浄すべき前記表面に沿って対応する前記ワイパー条片ユニットをその移動中に搭載させる前記ワイパー条片ユニットの前記往復台車機構に強固に連結される。従って、前記駆動装置の戻り止めの危険性は既知のスピンドル駆動装置に比べて非常に減少され、それによって、また予想される修理又は保守作業のための如何なる時間及び費用をも減少される。
【００１０】
小規模の実施態様において、そのような往復台車機構は前記ワイパー条片ユニットの一方側にのみ設けられるので前記ワイパー条片ユニットが前記往復台車機構から、即ち前記案内レールユニットから自由に片持ち支持されることが理論上考えられる。このことは、とりわけ、前記往復台車機構による前記ワイパー条片ユニットの前後動が水平である場合で考えられる。
しかしながら、一層単純な案内構造を目的として、好ましくは、各案内レールユニットの両側に前記ワイパー条片ユニットを案内するために該ワイパー条片ユニットの両端部に往復台車機構を配設することにそれが適合するように、一つの洗浄処置でより広い表面を洗浄するために適当な幅を有する前記ワイパー条片ユニットによって前記ワイパー条片ユニットの垂直移動が与えられる。前記各案内レールユニットにおける前記各駆動要素は、固定的に配設される駆動モータが前記洗浄装置に求められる組立て費の減少に既に役立っている事は別として、各費用が付加的に減少されるように適正な各ギア及び各シャフトを介して共通する固定的に配設される駆動モータから駆動される。
【００１１】
既述したように前記駆動要素は、例えば、ロープ又はベルトであっても良く、そこにおいて、前記ワイパー条片ユニットが上下に移動される場合、この駆動要素をドラムから巻き戻し又は巻き上げることが考えられる。効果的なスペースセービング構造のために、前記駆動要素は、前記ワイパー条片ユニットの移動区間より上側及び下側に固定的に配設される２個の歯車等の周りに巻回されるエンドレス駆動要素であり、それらの歯車の一つは前記駆動モータによって駆動可能であれば適切である。
【００１２】
前記ワイパー条片が適当に硬い条片体又は支持体からなるものであれば、前記往復台車機構に直接的に連結可能であり、前記ワイパー条片の取付けのための如何なる追加的組立て処置を除去する。しかしながら、作動中に磨耗する前記各ワイパー条片が、視覚的理由と同様に保護の理由から望まれるカバーを目的とすると共に単純な磨耗部品として構成されることを可能にすることは、前記往復台車機構が前記ワイパー条片ユニットのハウジングに連結され、そこにワイパー条片が取付けられ、前記ハウジングの細長状開口部を通してその長手側に突出する場合に非常に有利である。
前記各案内レールユニット間の各空間を僅かに変化させることになるかも知れない、そこに案内される前記各往復台車機構と同様に前記各案内レールユニットのその領域における取付け公差の均等化を可能にすることは、前記ハウジングがその長手方向に、例えば、ピンと長孔との配置を介して変位可能なように前記往復台車機構に連結される場合に適合している。
【００１３】
前記ワイパー条片の過剰な磨耗なしに洗浄すべき前記表面上に在る障害物を越えて前記ワイパー条片が容易に移動可能であることは、前記ワイパー条片が洗浄すべき前記表面に向け又は前記表面から離間して移動可能なように前記ハウジングに受容される場合に更に有利である。単純で効果的な構造を目的とするならば、前記ワイパー条片が前記ハウジングの細長状開口部に向けた方向に弾性的に付勢される場合に更に適合している。前記ワイパー条片の制御された回避移動を得るためには、前記ワイパー条片がその開口部を通して前記ハウジングから横方向に突出するカムフォロアーに連結される場合に特に有利であり、該カムフォロアーは洗浄すべき前記表面の、ガラスの各平面間の接合部のような、平面に対して水平に突出するの領域に配置される少なくとも１個の関連する制御カムを選択的に有する。
前記ワイパー条片が前記突出する上を移動する場合、前記ワイパー条片は前記制御カムを介して移動される前記カムフォロアーによって前記ハウジング内で後方に移動可能である。容易な移動を達成することは、前記カムフォロアーが自由に回転可能に取付けられたローラによって構成される場合に更に特に有利である。単純化された取付けの理由で、前記制御カムが前記案内レールユニットに取付けられる場合に更に適合している。
【００１４】
前記駆動要素と前記往復台車機構との効果的な結合は、前記往復台車機構がその間に前記駆動要素が固定される数個、例えば２個の強固に相互連結されたクランプ部を有して構成される場合に適合していることも判った。
更に、前記往復台車機構の安全な引き込み及び滑りの回避は、前記各クランプ部の１個がその上に固定して配置されて前記駆動要素として設けられる前記歯付きベルトと噛合する歯付きレール部を具備する場合に特に有利である。
【００１５】
前記案内レールユニットの単純な構造と取付けは、前記案内レールユニットが幾つかの溝を画成する相互連結部によって形成され、前記往復台車機構が１個の溝に案内され且つ縦スロットを経て前記案内レールユニットから外方に突出する場合に更に有利である。
特に、前記案内レールユニットが前記に固定されるために適合される基底部と該基底部に連結されるカバー部を具備し、該カバー部が洗浄液ラインのために設けられ且つ蓋状横桟（ｌｉｄ  ｌｅｄｇｅ）によって閉蓋される受容溝を含む場合に適合している。
【００１６】
本発明の洗浄装置において、各スプレーノズルは前記上に設けられる各区画等に固定的に適正に取付けられる。前記ワイパー条片ユニットが垂直方向に移動する場合、例えば、前記建物のの各ガラス表面上方又は間に夫々存在する各接合部に前記各スプレーノズルを固定的に取り付けることが考えられる。
特に既存の建物への後取付けにおける単純な取付けは、前記各スプレーノズルが前記案内レールユニットに固定的に配設される場合に有利であることが判った。
前記案内レールユニットが基底部、カバー部及び蓋部として構成されるならば、前記各スプレーノズルが前記リッドレッジに取付けられ且つ該リッドレッジを介して前記洗浄液ラインに連結される場合に更に適合している。この場合、前記各スプレーノズルの各ノズル開口部は、洗浄すべき前記関連する表面に向けられ、且つ洗浄のための洗浄加圧流体が、供給ラインにおける弁、例えばソレノイド弁を開放させながら固定ポンプの助力により供給される。
【００１７】
前記洗浄液ポンプから前記各スプレーノズルの増加する距離によって生じる可能性がある圧力低下を均等化することは、前記各スプレーノズルが前記案内レールユニットに沿って変化するノズル横断面を有する及び又は変化する相互間隔を有する場合に更に有利である。エンドレス駆動要素が利用され、且つ始動中又は前記ワイパー条片ユニットを停止させる時に振動が前記駆動要素に発生する場合に前記エンドレス駆動要素の反転側を前記往復台車機構から離間して維持することは、前記基底部が前記エンドレス駆動要素の反転側のためのＬ字状横断面の少なくとも１個のレッジ突出部で案内溝を画成する場合に更に適合している。
【００１８】
前記案内レールユニットの取付け領域における湿気、特に洗浄液の望ましくない侵入を阻止することは、前記基底部が前記カバー部から離間して対向するその後方部で密封用の受容溝を有する場合に最終的に有利である。
【００１９】
【発明の実施の形態】
本発明の建物の表面洗浄装置の一実施態様について添付した図面に基づき以下に詳述するが、本発明はそれによって限定されない。
図１において、表面３上に設けられた洗浄すべき各ガラス表面２から成る建物１の展望は、完全に略図的に示されている。前記各ガラス表面２は各水平の当接部又は接合部５と同様に各垂直部レール４によって夫々互いに分離又は横方向に境界付けされている。前記各垂直部レール４は図２および３に一層詳しく認められる案内レールユニット６を形成し、それは前記表面３の高さ全体にわたって連続して伸張し且つ図２に認められるように８に略示される前記各ガラス表面２に相互結合する各接合部７に、例えば螺着によって固定される。
【００２０】
前記案内レールユニット６は、図１の矢印１１によって示されるように前記案内レールユニット６によって上下に夫々変位可能な１個のワイパー条片ユニット１０を具備する各洗浄装置９に属する。図２によれば前記各ワイパー条片ユニット１０は、細長開口部１３（図５）を経て関連するするガラス表面２に対向するその狭い側面に狭い横桟状のハウジング１２から通過するワイパー条片又はブレード１４を具備し、図５に基づくワイパー条片又はブレード１４は、図４及び５の両方向矢印１６によって示されるように、区画囲壁１５を具備し且つガラス表面２に向けて水平に移動可能なように前記ハウジング１２内に配置される。
【００２１】
図５に更に略示されるように、前記ワイパー条片区画囲壁１５は１個以上の圧縮コイルばね１７によって外方位置に負荷され、そこにおいて、詳細に図示されていないストッパが、それ自体通常の方法で、前記ハウジング１２から前記区画囲壁１５を具備する前記ワイパー条片１４の外方移動の限界を定めることができる。
図５〜７の方法によって以下に詳述するように、有利な方法で前記ワイパー条片１４の水平の移動性が、前記洗浄装置９の前記ワイパー条片ユニット１０の上下方向の移動中に前記表面３上の障害物を越えて制御された移動を可能にする。
【００２２】
その両端部、例えば図２の１８の夫々で、前記ワイパー条片ユニット１０は往復台車機構１９の助力でその関連する案内レールユニット６に滑動的に案内される。
この目的のために、前記各案内レールユニット６は、前記表面３の全体の高さにわたり垂直に伸張する各溝２０によって構成され、前記各ワイパー条片ユニット１０の１個の往復台車機構１９は、図２に特に認められるように前記案内レールユニット６内の前記左側の溝２０に前記往復台車機構１９が示される場合には、前記各垂直溝２０の１個に滑動的に案内される。図２の右側の溝２０は一層の明確さのために図示されず、また、その側にワイパー条片ユニットが隣接するガラス表面２‘上に図示されていない。しかしながら、次のワイパー条片ユニット１０は勿論そこに続き且つ右側の溝２０に対応する往復台車機構１９によって滑動的に案内される。
【００２３】
前記各溝２０を形成するために前記各案内レールユニット６は、前記接合部７に、例えば、ねじ８によって固定される基底部２１を有する。前記基底部２１は、各Ｌ字状の横桟突出部又は腹板２２を有し、それらの１個は垂直溝２０内に突出している。これらの腹板２２の目的は以下に更に詳述する。
前記表面３に対向する内側で前記基底部２１は、更にシール部２４用の受容溝２３を対で形成するフック状区画突出部を有する。これは前記表面３に上に前記基底部２１の密封された配列を可能にする。
【００２４】
前記カバー部２６は、前記基底部２１の中央の腹板型突出部２５に当接し、前記各往復台車機構１９が、図４の分解図に関連して、前記関連する溝２０内に予め取付けられた後、中央領域の前記カバー部２６は前記基底部２１に、例えば、各ねじ２７によって強固に連結される。
【００２５】
前記カバー部２６は、そこに、例えばホースの形態の洗浄液ライン２９が受容される中央受容溝２８を有する。前記洗浄液ライン２９が前記中央受容溝２８に取付けられると、前記中央受容溝２８は、端部対端部の関係で互いに当接する長さで設けられる蓋状横桟３０によって閉蓋され且つ洗浄すべき前記各ガラス表面２に対して向けられたノズル開口部を有する各スプレーノズル３１を具備し、そのような各スプレーノズル３１は図２及び３に加えて図１にも略示されている。  従って、これらの各スプレーノズル３１は、前記各案内レールユニット６に固定的に取付けられ、且つ前記表面３の前記各ガラス表面２が洗浄されようとする時、それらは図示されていないポンプの助力で前記各ライン２９を経て加圧下の洗浄液、特に水を供給されるので、前記洗浄液は前記各ガラス表面２上に散布される。
【００２６】
引き続き、前記各ワイパー条片ユニット１０は、上部から底部まで、好ましくは一緒に図１に示したように１列になって移動し、それによって前記各ガラス表面２を洗浄し、次の上方行程で前記各ワイパー条片ユニット１０が前記各ガラス表面２を多少乾燥した状態に払拭し、それによってこの作動周期後に洗浄され且つ乾燥した各ガラス表面を提供する。
【００２７】
前記各案内レールユニット６の前記各溝２０における前記各往復台車機構１９の案内による前記各ワイパー条片ユニット１０の上下移動のために、例えば歯付きベルト３３の形態のエンドレス駆動要素３２が、前記各往復台車機構１９に設けられる。その一方側（進行側）３４で前記歯付きベルト３３は、２個のクランプ部に強固に連結され、例えば（図２の３５に示されているように）一緒に螺着された２個の部品により構成される前記各往復台車機構１９の各クランプ部３６，３７（図４）間に固定されるので、前記歯付きベルト３３は、その一方側３４で上下に（図４の両方向矢印３８）移動する場合、上下方向に滑ることなく前記往復台車機構１９を引き込み、それによって前記往復台車機構１９に強固に連結される前記ワイパー条片ユニット１０を前記表面３に沿って上下方向に移動させる。前記一方のクランプ部３７（図４）は、それに前記歯付きベルト３３が噛合する固定された歯付きレール部１９‘（図２）を取付け又は構成することができる。
【００２８】
前記歯付きベルト３３の無負荷側３９は前記各溝２０における前記各往復台車機構１９に接触せずに戻され、対を成すＬ字状の前記横桟突出部２２はこの戻り側３９用の案内溝４０を形成する。前記表面３に平行に伸張する前記横桟突出部２２の脚部は、前記歯付きベルト３３の無負荷側３９が前記往復台車機構１９又はその内方クランプ部３７から夫々離間して維持されるように、前記各往復台車機構１９に向けて前記案内溝４０を限界付けし、且つ対応する切り欠き部４１（図２）を具備する。
【００２９】
図１に単に略示したように、各歯車４２又は４３が、丁度その下方側のように前記表面３の上方側に前記歯付きエンドレスベルト３３のために設けられていて、その周りに前記歯付きエンドレスベルト３３が巻回し、これらの各歯車４２又は４３は軸上に軸着され且つ一緒に回転し、一方の、例えば上方の歯車４２が破線４４で示され且つ略示された固定的に取付けられるモータ４５によって駆動される共通駆動軸上に軸着されることが少なくとも提供される。
【００３０】
更に、図１にスプレーノズル３１への洗浄液のための遮断弁４７を有する供給ライン４６が示されている。更に、垂直案内レールユニット６上の前記スプレーノズル３１に加え又は代わりに、前記ガラス表面２への洗浄液の供給のために下方に向けられたスプレーノズル３１‘が各水平接合部５、又は最上部５’に夫々設けられる。これは図１に示されていないが、そのようなスプレーノズル３１は、更に前記各ガラス表面２間に前記各中間接合部５に設けることもでき、且つこれは下方に向けられるだけでなく上方にも各ノズル開口部を向けられる。
【００３１】
更に図２に認められるように、前記往復台車機構１９は、前記案内レールユニット６の前記２個の部２１，２６間で横方向の垂直に伸張する縦スロット５０を経て突出する連結腹板４９を介して前記往復台車機構１９の前記一方のクランプ部３７に強固に連結される板状締着部４８を有する。
前記板状締着部４８は前記ワイパー条片ユニット１０の縦方向に伸張する各長孔５１を具備し、図２に略示されピン５２は前記各長孔５１に受容され、該ピン５２は前記ワイパー条片ユニット１０の前記ハウジング１２に強固に連結されて前記ピンと長孔との配列５２，５１によって前記往復台車機構１９に対する前記ハウジング１２の水平移動性を保証する。
【００３２】
勿論、前記ピンと長孔との配列５２，５１は前記ワイパー条片ユニット１０の一方側のみに求められ、前記ワイパー条片ユニット１０の図示しない他方側には前記板状締着部４８が前記ハウジング１２に、例えば、ねじ止め又は溶着又はリベット止めによって強固に連結される。前記ピンと長孔との配列５２，５１によって与えられる前記水平移動性によって、どんな起こり得る製造及び取付け各公差は、これらの公差のためにその間に前記各ワイパー条片ユニット１０が伸張する前記各隣接する案内レールユニット６がたとえ前記建物１の全高さにわたり一定した距離を保てなかったとしても、前記表面３上への前記各ワイパー条片ユニット１０の取付け中に均等化される。
【００３３】
既述したように、前記ワイパー条片１４は、内外方に変位可能なように前記ワイパー条片ユニット１０の前記ハウジング１２に配置され、前記ばね１７は前記ワイパー条片１４を外方に、即ち前記ガラス表面２に向けて押圧する。このように前記ワイパー条片１４は、障害物が前記表面３上に存在する場合、その前方ブレード部５３（図５）が保護されるように前記ハウジング１２内に移動可能である。
【００３４】
この引き戻し移動を制御するために制御カム５４は、前記各障害物、即ち前記表面３上に突出する各、例えば、前記各ガラス表面２間の前記各水平の接合部５によって形成される障害物（図５〜７、特に図４）の領域における前記案内レールユニット６に取付けられる。これらの制御カム５４は、前記カバー部２６に、例えば、ねじ止めで取付けられる。前記各ワイパー条片１４の前記区画囲壁１５は、カムフォロアとして設けられる自由に回転可能なローラ５６のための軸受部５５に更に強固に連結される。
【００３５】
前記ワイパー条片ユニット１０の上下方向の移動中に、前記歯付きベルト３３が駆動されると、前記ローラ５６は対応する各傾斜部５７，５８によって構成される前記各制御カム５４に対して衝突し、それによって前記ワイパー条片１４を前記ガラス表面２、又は更に正確には前記障害物、即ち前記接合部５から上昇させる。（図５，６に基づく上昇及び走行の別の局面、即ち前記ローラ５６が前記上方傾斜部５７上を丁度転動しているものと、図７に基づく前記ローラ５６が前記ワイパー条片１４を完全に引き戻しているものを参照されたい。）
引き続き、前記ローラ５６が前記案内レールユニット６に向けて前記傾斜部５８上を移動すると、図５にのみ図示した前記圧縮ばね１７は、前記ワイパー条片１４がその洗浄活動をそこで継続できるように前記ワイパー条片１４を再度前記ガラス表面２に向け押圧する。
【００３６】
前記各スプレーノズル３１は、前記ライン２９、又は前記表面３の夫々の高さに対応して生じる圧力低下を均等化するように、前記建物１の高さに対応して変化するノズルの横断面又は間隔を有することができる。従って、図１による配列において、前記各スプレーノズル３１は、一層密接に配置されれば、それらは一層高く配置することができ、且つそれらは極めて高くても前記各ガラス表面２上に十分に遠方に散布される前記洗浄液のために一層小さなノズル開口部を有することもできる。
【図面の簡単な説明】
【図１】  垂直のガラス表面ごとに設けられる洗浄装置によって洗浄すべき各ガラス表面を具備する建物のの正面図である。
【図２】  図１のＩＩ−ＩＩ線に沿って切断して示す部分断面図である。
【図３】  図２において認められる洗浄装置の上部斜視図である。
【図４】  図２及び３による洗浄装置の一部を分解的に示す斜視図である。
【図５】  ワイパー条片ユニットが障害物を越えて走行する前の状態を示す端面図である。
【図６】  ワイパー条片ユニットが障害物を越えて走行開始状態を示す端面図である。
【図７】  ワイパー条片ユニットが完全に上昇して障害物を越えた状態を示す端面図である。
【符号の説明】
６  案内レールユニット
１０  ワイパー条片ユニット
１２  ハウジング
１３  細長開口部
１４  ワイパー条片
１９  往復台車機構
３２  直線駆動要素
３３  歯付きベルト
３６  クランプ部
３７  クランプ部
４２  歯車
４３  歯車
４５  駆動モータ
【図１】
0003795397.tif 000002
【図２】
0003795397.tif 000003
【図３】
0003795397.tif 000004
【図４】
0003795397.tif 000005
【図５】
0003795397.tif 000006
【図６】
0003795397.tif 000007
【図７】
0003795397.tif 000008